(57)【要約】【課題】使用者の意図に反して充電動作が中断されている旨を使用者が容易に把握することができる電子機器を提供する。【解決手段】給電コイル２４から無接点で電力が供給される受電コイル３６と、受電コイル３６に供給された電力に基づいて充電される二次電池３５とを有し、制御部３４は、二次電池３５への充電が中断してから所定の閾値時間が経過するまでの間に、使用者の操作に伴った入力信号が入力されたか否かを判別し、所定の閾値時間の間に入力信号が入力されなかったと判別した場合に、携帯電話機に対して二次電池３５への充電が中断した旨について通知する。【選択図】図２
2014011893.tif 000002
【特許請求の範囲】
【請求項１】
給電部から無接点で電力が供給される受電部と、該受電部に供給された電力に基づいて充電される蓄電部とを有し、
前記蓄電部への充電が中断してから所定の閾値時間が経過するまでの間に、使用者の操作に基づく入力信号が入力されたか否かを判別する判別部と、
前記判別部が前記所定の閾値時間が経過するまでの間に前記入力信号が入力されなかったと判別した場合に、他の電子機器に対して前記蓄電部への充電が中断した旨について通知する通知部と
を備えたことを特徴とする電子機器。
【請求項２】
請求項１に記載の電子機器において、
前記判別部が前記所定の閾値時間が経過するまでの間に前記入力信号が入力されたと判別した場合に、前記蓄電部への充電が未完である旨を表示する表示部を更に備えたことを特徴とする電子機器。
【請求項３】
請求項１又は請求項２に記載の電子機器において、
前記蓄電部への充電が中断した際に、前記通知部が前記他の電子機器との間で無線通信を行うために必要とされる必要電力量が前記蓄電部に蓄えられているか否かを判定する判定部を更に備え、
前記通知部は、前記判定部が前記蓄電部に前記必要電力量が蓄えられていないと判定した場合に、前記他の電子機器に対する前記蓄電部への充電が中断した旨についての通知をしないことを特徴とする電子機器。
【請求項４】
請求項３に記載の電子機器において、
前記判定部が前記蓄電部に前記必要電力量が蓄えられていないと判定した場合に前記蓄電部への充電の必要性を報知する報知部を更に備えたことを特徴とする電子機器。
【請求項５】
請求項１〜請求項４のうち何れか一項に記載の電子機器において、
前記蓄電部の充電量を監視する監視部と、
前記電子機器が実行可能な複数の機能のうち、前記監視部によって監視された前記蓄電部の充電量よりも大きな電力が必要とされる機能が実行されることを制限する制限部と
を更に備えたことを特徴とする電子機器。
【発明の詳細な説明】
【技術分野】
【０００１】
本発明は、電子機器に関する。
【背景技術】
【０００２】
従来、デジタルカメラ、携帯電話機、音楽プレーヤー、携帯用ゲーム機等の電子機器には、充電器に対する電気的な接点を持たない非接触方式での充電を実行可能なものがあった（例えば、特許文献１）。
【０００３】
特許文献１に記載の携帯電話機（電子機器）には、充電器に装着された状態において充電器側の給電コイルと対向することになる位置に受電コイルが設けられている。そして、その装着された状態において、給電コイルに通電がなされると、給電コイルからの電磁誘導作用によって受電コイルの両端に電圧が誘起され、受電コイルに誘起された電圧に基づいて携帯電話機に内蔵されたバッテリー（蓄電部）に対して充電が行われる。
【先行技術文献】
【特許文献】
【０００４】
【特許文献１】特開２００８−１１８５７５号公報
【発明の概要】
【発明が解決しようとする課題】
【０００５】
ところで、特許文献１に記載の携帯電話機は、充電器によって非接触方式での充電が行われるため、その充電時に振動等の外力が加わった場合には使用者の意図に反して充電器から外れて充電が中断され易い。この場合、使用者が携帯電話機から離れた位置にいると、使用者はその意図に反して充電動作が中断されている旨を把握することができないという問題があった。
【０００６】
本発明は、このような事情に鑑みてなされたものであり、その目的は、使用者の意図に反して充電動作が中断されている場合にその旨を使用者が容易に把握することができる電子機器を提供することにある。
【課題を解決するための手段】
【０００７】
上記目的を達成するために、本発明の電子機器は、給電部から無接点で電力が供給される受電部と、該受電部に供給された電力に基づいて充電される蓄電部とを有し、前記蓄電部への充電が中断してから所定の閾値時間が経過するまでの間に、使用者の操作に基づく入力信号が入力されたか否かを判別する判別部と、前記判別部が前記所定の閾値時間が経過するまでの間に前記入力信号が入力されなかったと判別した場合に、他の電子機器に対して前記蓄電部への充電が中断した旨について通知する通知部とを備えたことを特徴とする。
【０００８】
また、本発明の電子機器は、前記判別部が前記所定の閾値時間が経過するまでの間に前記入力信号が入力されたと判別した場合に、前記蓄電部への充電が未完である旨を表示する表示部を更に備えたことを特徴とする。
【０００９】
また、本発明の電子機器は、前記蓄電部への充電が中断した際に、前記通知部が前記他の電子機器との間で無線通信を行うために必要とされる必要電力量が前記蓄電部に蓄えられているか否かを判定する判定部を更に備え、前記通知部は、前記判定部が前記蓄電部に前記必要電力量が蓄えられていないと判定した場合に、前記他の電子機器に対する前記蓄電部への充電が中断した旨についての通知をしないことを特徴とする。
【００１０】
また、本発明の電子機器は、前記判定部が前記蓄電部に前記必要電力量が蓄えられていないと判定した場合に前記蓄電部への充電の必要性を報知する報知部を更に備えたことを特徴とする。
【００１１】
また、本発明の電子機器は、前記蓄電部の充電量を監視する監視部と、前記電子機器が実行可能な複数の機能のうち、前記監視部によって監視された前記蓄電部の充電量よりも大きな電力が必要とされる機能が実行されることを制限する制限部とを更に備えたことを特徴とする。
【発明の効果】
【００１２】
本発明によれば、使用者の意図に反して充電動作が中断されている場合にその旨を使用者が容易に把握することができる。
【図面の簡単な説明】
【００１３】
【図１】本発明に係る第１の実施形態のデジタルカメラの斜視図。
【図２】同実施形態のデジタルカメラ及び充電装置の内部構成を示すブロック図。
【図３】制御処理ルーチンを示すフローチャート。
【図４】制御処理ルーチンを示すフローチャート。
【図５】本発明に係る第２の実施形態の携帯電話機の斜視図。
【発明を実施するための形態】
【００１４】
（第１の実施形態）
以下、本発明を電子機器の一種であるデジタルスチルカメラ（以下、「デジタルカメラ」という。）に具体化した第１の実施形態を図１〜図４に基づいて説明する。
【００１５】
図１に示すように、本実施形態のデジタルカメラ１０において略直方体状をなすカメラ本体１１の上面右端部寄りの部分には、デジタルカメラ１０に撮影動作を開始させるときに使用者により押し下げ操作（すなわち、オン操作）されるレリーズボタン１２が設けられている。そして、カメラ本体１１の上面におけるレリーズボタン１２の左側にはデジタルカメラ１０を電源オン状態とするときに使用者により押し下げ操作される電源ボタン１３が設けられている。
【００１６】
一方、カメラ本体１１の後面側には、矩形状をなす液晶表示の表示部としてのモニタ１４が上下方向の略全域に亘るように設けられている。そして、モニタ１４よりも右側の領域において上方寄りの位置にはズームボタン１５が設けられている。ズームボタン１５は、主として撮像レンズ部１６をズームアップ又はズームダウンさせる場合に操作される。また、ズームボタン１５よりも下方となる位置には再生ボタン１７が設けられている。再生ボタン１７は、主として撮影した画像をモニタ１４に再生表示させる場合に操作される。また、再生ボタン１７よりも下方となる位置にはセレクトボタン１８が設けられている。セレクトボタン１８は、主としてモニタ１４に表示される画面の切り替えや設定の変更を行う場合に操作される。
【００１７】
次に、本実施形態のデジタルカメラ１０及びこのデジタルカメラ１０に対して電気的な接点を持たない非接触充電を行う充電装置２０における回路構成を図２のブロック図に基づき説明する。
【００１８】
図２に示すように、充電装置２０は、充電動作を統括的に制御する制御部２１の他に、ＡＣ／ＤＣコンバータ２２、ＤＣ／ＡＣインバータ２３、及び給電部としての給電コイル２４を装置本体２５内に有している。ＡＣ／ＤＣコンバータ２２は、交流電源２６から供給される交流電流を直流電流に変換し、変換した直流電流を制御部２１及びＤＣ／ＡＣインバータ２３に供給する。また、ＤＣ／ＡＣインバータ２３は、供給された直流電流を交流電流に変換し、変換した交流電流を給電コイル２４に供給する。そして、給電コイル２４は、供給された交流電流に基づいて磁界を発生させる。
【００１９】
一方、デジタルカメラ１０は、撮像レンズ部１６のレンズ群（図２では図面の簡略化のため１つのみ図示）を通過した被写体光を撮像レンズ部１６の像空間側において結像させるための撮像素子３０をカメラ本体１１内に有している。この撮像素子３０は、例えばＣＭＯＳ（Complementary Metal Oxide Semiconductor）イメージセンサ、又はＣＣＤ（Charge Coupled Device）イメージセンサからなり、その結像面に結像した被写体像に対応した信号電荷を蓄積し、その蓄積した信号電荷を画素信号と呼ばれるアナログ信号として出力する。
【００２０】
撮像素子３０の出力側にはＡ／Ｄ変換回路３１と信号処理回路３２が直列に接続されている。撮像素子３０から出力されたアナログ信号からなる画素信号はＡ／Ｄ変換回路３１においてデジタル信号に変換された後、信号処理回路３２に入力されて各種の画像処理が施されてメモリ３３に一時記憶される。
【００２１】
また、デジタルカメラ１０は、所定の制御プログラムに基づきデジタルカメラ１０における各種動作を統括的に制御する制御部３４を備えている。そして、この制御部３４に対して、既述したレリーズボタン１２、電源ボタン１３、モニタ１４、ズームボタン１５、再生ボタン１７、セレクトボタン１８、信号処理回路３２の他に、例えばリチウムイオン電池からなる蓄電部としての二次電池３５、受電部としての受電コイル３６、無線通信部３７が接続されている。
【００２２】
なお、無線通信部３７は、無線ＬＡＮ（Local Area Network）、ＩｒＤＡ（Infrared Data Association）などの各種の通信規格に基づいた方法によって、ネットワーク回線を通じて他の電子機器（例えば、そのデジタルカメラ１０の使用者が保持する携帯電話機等）との間で各種情報を送受信可能とされている。
【００２３】
次に、充電装置２０がデジタルカメラ１０を充電している際に、デジタルカメラ１０の制御部３４が実行する制御処理ルーチンについて図３及び図４に基づいて説明する。
さて、充電装置２０の装置本体２５上にデジタルカメラ１０が載置されると、充電装置２０に内蔵された給電コイル２４とデジタルカメラ１０に内蔵された受電コイル３６とが上下方向で対向した位置関係になる。そのため、給電コイル２４が発生する磁界に基づく電磁誘導作用によって受電コイル３６に交流電圧が誘起され、受電コイル３６に誘起された充電電圧に基づいて二次電池３５への充電が開始される。
【００２４】
そして、まずステップＳ１１において、制御部３４は、受電コイル３６に交流電圧が誘起され、二次電池３５への充電動作が継続して行われているか否かを判定する。そして、その判定結果が肯定判定（Ｓ１１＝Ｙｅｓ）である場合、制御部３４は、その処理をステップＳ１２に移行する。
【００２５】
そして、ステップＳ１２において、制御部３４は、二次電池３５が満充電状態となるまで充電されて二次電池３５への充電動作が完了したか否かを判定する。そして、その判定結果が肯定判定（Ｓ１２＝Ｙｅｓ）である場合、制御部３４は、ステップＳ１３において、二次電池３５への充電が完了した旨のメッセージを無線通信部３７からネットワーク回線を通じて使用者の携帯電話機に向けて送信させた後、本制御処理ルーチンを終了する。
【００２６】
その一方で、ステップＳ１２の判定結果が否定判定（Ｓ１２＝Ｎｏ）である場合、即ち、二次電池３５への充電動作が完了していない場合、制御部３４は、その処理をステップＳ１１に戻し、再びステップＳ１１の処理を繰り返す。また、ステップＳ１１の判定結果が否定判定（Ｓ１１＝Ｎｏ）である場合、即ち、二次電池３５が満充電状態となる前時点で、デジタルカメラ１０が充電装置２０から外れて二次電池３５への充電が中断された場合、制御部３４は、その処理をステップＳ１４に移行する。
【００２７】
そして、ステップＳ１４において、制御部３４は、充電が中断された時点における二次電池３５の充電率が３０％未満であるか否かを判定する。そして、その判定結果が肯定判定（Ｓ１４＝Ｙｅｓ）である場合、制御部３４は、ステップＳ１５において、電源ボタン１３が押されたか否かを判定する。すなわち、このステップＳ１５において、制御部３４は、使用者が画像を撮影するためにデジタルカメラ１０を充電装置２０から意図的に外した後に電源ボタン１３の押し下げ操作をしたか否かを判定する。そして、ステップＳ１５の判定結果が肯定判定（Ｓ１５＝Ｙｅｓ）である場合、制御部３４は、その処理をステップＳ１６に移行する。その一方で、ステップＳ１５の判定結果が否定判定（Ｓ１５＝Ｎｏ）である場合、制御部３４は、その処理をステップＳ１７に移行する。
【００２８】
そして、ステップＳ１７において、制御部３４は、再生ボタン１７が押されたか否かを判定する。すなわち、このステップＳ１７において、制御部３４は、使用者が撮影した画像を再生表示するためにデジタルカメラ１０を充電装置２０から意図的に外した後に再生ボタン１７を操作したか否かを判定する。そして、ステップＳ１７の判定結果が否定判定（Ｓ１７＝Ｎｏ）である場合、制御部３４は、その処理をステップＳ１５に戻し、ステップＳ１５の処理を繰り返す。その一方で、ステップＳ１７の判定結果が肯定判定（Ｓ１７＝Ｙｅｓ）である場合、制御部３４は、その処理をステップＳ１６に移行する。
【００２９】
そして、ステップＳ１６において、制御部３４は、二次電池３５の充電率が３０％に達する前時点で二次電池３５への充電が中断し、二次電池３５への充電が不十分である旨をモニタ１４に表示させる。すなわち、このステップＳ１６において、制御部３４は、使用者により充電装置２０から意図的に外されたデジタルカメラ１０の二次電池３５への充電の必要性を報知する旨のメッセージ、例えばそのデジタルカメラ１０を充電装置２０の装置本体２５上に戻して再充電するように促す報知メッセージをモニタ１４上に表示させる。そして、制御部３４は、このステップＳ１６の処理を実行した後、本制御処理ルーチンを終了する。
【００３０】
なお、一般に、デジタルカメラ１０が無線通信部３７を通じて他の電子機器との間で無線通信を行う際の消費電力は、デジタルカメラ１０が静止画像を撮影する際の消費電力よりも大きい。そして、二次電池３５の充電率が３０％未満である場合、デジタルカメラ１０が無線通信部３７を通じて他の電子機器との間で無線通信を行うと、デジタルカメラ１０が静止画像を撮影するために必要とされる電力を十分に確保できなくなる虞がある。この点、本実施形態の場合、制御部３４は、二次電池３５への充電動作時に二次電池３５の充電量を監視し、二次電池３５への充電が中断された時点における二次電池３５の充電率が３０％未満である場合には、携帯電話機との間で無線通信を行うために必要とされる必要電力量が二次電池３５に蓄えられていないと判定する。すなわち、制御部３４は、二次電池３５の充電量を監視する監視部として機能すると共に、二次電池３５への充電が中断した際に、携帯電話機との間で無線通信を行うために必要とされる必要電力量が二次電池３５に蓄えられているか否かを判定する判定部としても機能する。そして、この場合に、モニタ１４は、携帯電話機との間で無線通信を行うために必要とされる必要電力量が二次電池３５に蓄えられていないと制御部３４が判定した場合に、二次電池３５への充電の必要性を報知する報知部として機能する。
【００３１】
このように、制御部３４は、ステップＳ１６において、デジタルカメラ１０の二次電池３５への充電を促す報知処理をモニタ１４の表示により実行する一方で、デジタルカメラ１０が充電装置２０から外れて二次電池３５への充電が中断された旨のメッセージの通知を無線通信により行うことはない。したがって、二次電池３５の充電率が３０％に達する前時点で二次電池３５への充電が中断された場合において、静止画像を撮影するために必要とされる電力が無線通信により用い尽くされることが抑制される。
【００３２】
また、先のステップＳ１４での判定結果が否定判定（Ｓ１４＝Ｎｏ）であった場合、制御部３４は、ステップＳ１８において、充電が中断された時点における二次電池３５の充電率が第１の閾値充電率としての７０％未満であるか否かを判定する。そして、その判定結果が肯定判定（Ｓ１８＝Ｙｅｓ）である場合、即ち、充電が中断された時点における二次電池３５の充電率が３０％以上７０％未満である場合、制御部３４は、ステップＳ１９において、デジタルカメラ１０における動画像を撮影する機能を制限する。その結果、デジタルカメラ１０は、動画像を撮影するための操作信号が入力されたとしても動画像を撮影することができなくなる。
【００３３】
続いて、ステップＳ２０において、制御部３４は、電源ボタン１３が押されたか否か、すなわち使用者が画像を撮影するためにデジタルカメラ１０を充電装置２０から意図的に外したか否かを判定する。そして、ステップＳ２０の判定結果が肯定判定（Ｓ２０＝Ｙｅｓ）である場合、制御部３４は、その処理をステップＳ２１に移行する。その一方で、ステップＳ２０の判定結果が否定判定（Ｓ２０＝Ｎｏ）である場合、制御部３４は、その処理をステップＳ２２に移行する。
【００３４】
そして、ステップＳ２２において、制御部３４は、再生ボタン１７が押されたか否か、すなわち使用者が撮影した画像を再生表示するためにデジタルカメラ１０を充電装置２０から意図的に外したか否かを判定する。このステップＳ２２の判定結果が肯定判定（Ｓ２２＝Ｙｅｓ）である場合、制御部３４は、その処理をステップＳ２１に移行する。そして、ステップＳ２１において、制御部３４は、二次電池３５の充電率が７０％に達する前時点で二次電池３５への充電が中断し、二次電池３５への充電が不十分である旨をモニタ１４に表示させた後、本制御処理ルーチンを終了する。その一方で、先のステップＳ２２の判定結果が否定判定（Ｓ２２＝Ｎｏ）であった場合、制御部３４は、その処理をステップＳ２３に移行する。
【００３５】
そして、ステップＳ２３において、制御部３４は、二次電池３５への充電が中断された時点からの経過時間、即ち、デジタルカメラ１０が充電装置２０上から外されたために受電コイル３６への交流電圧の誘起が中断された時点からの経過時間を計測し、この経過時間が予め設定した閾値時間を越えたか否かを判定する。なお、この閾値時間は、使用者がデジタルカメラ１０を充電装置２０から外してデジタルカメラ１０の操作を開始するまでの所要時間を想定して設定される。そして、ステップＳ２３の判定結果が否定判定（Ｓ２３＝Ｎｏ）である場合、制御部３４は、その処理をステップＳ２０に戻し、ステップＳ２０以降の処理を繰り返す。すなわち、制御部３４は、受電コイル３６への交流電圧の誘起が中断されてから閾値時間が経過するまでの間に、使用者によって電源ボタン１３又は再生ボタン１７が押されたか否かを判別し、電源ボタン１３又は再生ボタン１７が押された場合には、モニタ１４上に二次電池３５への充電が中断し、二次電池３５への充電が不十分である旨を表示させる。この点で、制御部３４は、二次電池３５への充電が所定の閾値充電率（この場合、７０％）になる前に中断してから所定の閾値時間が経過するまでの間に、使用者の操作に伴った入力信号が入力されたか否かを判別する判別部として機能する。その一方で、ステップＳ２３の判定結果が肯定判定（Ｓ２３＝Ｙｅｓ）である場合、即ち、デジタルカメラ１０が使用者の意図に反して充電装置２０から外れて二次電池３５への充電が中断された場合、制御部３４は、その処理をステップＳ２４に移行する。
【００３６】
そして、ステップＳ２４において、制御部３４は、二次電池３５の充電率が７０％に達する前時点で二次電池３５への充電が中断したこと及びその中断時点で二次電池３５への充電は不十分であることを示す旨のメッセージを無線通信部３７からネットワーク回線を通じて使用者の携帯電話機に向けて送信させる。
【００３７】
すなわち、制御部３４は、受電コイル３６への交流電圧の誘起が中断されてから閾値時間が経過するまでの間に、使用者によって電源ボタン１３又は再生ボタン１７が押されなかった場合に、携帯電話機に対して二次電池３５への充電が中断した旨について無線通信を通じて通知する。この点で、制御部３４は、二次電池３５への充電が中断してから所定の閾値時間が経過するまでの間に入力信号が入力されなかったと判別した場合に、携帯電話機に対して二次電池３５への充電が中断した旨について無線通信を通じて通知する通知部として機能する。このステップＳ２４の処理を実行した後、制御部３４は、本制御処理ルーチンを終了する。
【００３８】
なお、二次電池３５の充電率が３０％を上回っている場合には、デジタルカメラ１０が無線通信部３７を通じて他の電子機器との間で無線通信を行ったとしても、デジタルカメラ１０が静止画像を撮像するために必要とされる電力が十分に確保される。そのため、ステップＳ２４において、制御部３４が、二次電池３５への充電が中断された旨のメッセージを無線通信部３７からネットワーク回線を通じて使用者の携帯電話機に向けて送信させたとしても、静止画像を撮像するために必要とされる電力が十分に確保される。
【００３９】
また、一般に、デジタルカメラ１０が動画像を撮影する際の消費電力は、デジタルカメラ１０が無線通信部３７を通じて他の電子機器との間で無線通信を行う際の消費電力よりも大きい。そして、二次電池３５の充電率が７０％未満である場合、デジタルカメラ１０が動画像の撮影を行うと、デジタルカメラ１０が無線通信部３７を通じて他の電子機器との間で無線通信を行うために必要とされる電力を十分に確保できなくなる虞がある。この点、本実施形態の場合、制御部３４は、二次電池３５への充電動作時に二次電池３５の充電量を監視し、二次電池３５への充電が中断された時点における二次電池３５の充電率が７０％未満である場合には動画撮影機能を制限する。すなわち、制御部３４は、デジタルカメラ１０が実行可能な複数の機能のうち、二次電池３５の充電量よりも大きな電力が必要とされる機能が実行されることを制限する制限部として機能する。その結果、充電率が７０％に達する前時点で二次電池３５への充電が中断されたとしても、他の電子機器との間で無線通信を行うために必要とされる電力が確保される。
【００４０】
また、先のステップＳ１８での判定結果が否定判定（Ｓ１８＝Ｎｏ）であった場合、図４に示すように、制御部３４は、ステップＳ２５において、充電が中断された時点における二次電池３５の充電率が第２の閾値充電率としての９０％未満であるか否かを判定する。そして、その判定結果が肯定判定（Ｓ２５＝Ｙｅｓ）である場合、即ち、充電が中断された時点における二次電池３５の充電率が７０％以上９０％未満である場合、制御部３４は、ステップＳ２６において、電源ボタン１３が押されたか否か、すなわち使用者が画像を撮影するためにデジタルカメラ１０を充電装置２０から意図的に外したか否かを判定する。そして、ステップＳ２６の判定結果が肯定判定（Ｓ２６＝Ｙｅｓ）である場合、制御部３４は、その処理をステップＳ２７に移行する。その一方で、ステップＳ２６の判定結果が否定判定（Ｓ２６＝Ｎｏ）である場合、制御部３４は、その処理をステップＳ２８に移行する。
【００４１】
そして、ステップＳ２８において、制御部３４は、再生ボタン１７が押されたか否か、すなわち使用者が撮影した画像を再生表示するためにデジタルカメラ１０を充電装置２０から意図的に外したか否かを判定する。このステップＳ２８の判定結果が肯定判定（Ｓ２８＝Ｙｅｓ）である場合、制御部３４は、その処理をステップＳ２７に移行する。そして、ステップＳ２７において、制御部３４は、二次電池３５の充電率が９０％に達する前時点で二次電池３５への充電が中断し、二次電池３５への充電が未完である旨をモニタ１４に表示させた後、本制御処理ルーチンを終了する。その一方で、ステップＳ２８の判定結果が否定判定（Ｓ２８＝Ｎｏ）である場合、制御部３４は、その処理をステップＳ２９に移行する。
【００４２】
そして、ステップＳ２９において、制御部３４は、先のステップＳ２３の場合と同様に、二次電池３５への充電が中断されてからの経過時間が、予め設定した閾値時間を越えたか否かを判定する。そして、ステップＳ２９の判定結果が否定判定（Ｓ２９＝Ｎｏ）である場合、制御部３４は、その処理をステップＳ２６に戻し、ステップＳ２６以降の処理を繰り返す。その一方で、ステップＳ２９の判定結果が肯定判定（Ｓ２９＝Ｙｅｓ）である場合、制御部３４は、その処理をステップＳ３０に移行する。
【００４３】
そして、ステップＳ３０において、制御部３４は、二次電池３５の充電率が９０％に達する前時点で二次電池３５への充電が中断し、二次電池３５への充電が未完である旨のメッセージを無線通信部３７からネットワーク回線を通じて使用者の携帯電話機に向けて送信させる。
【００４４】
なお、二次電池３５の充電率が７０％を上回っている場合には、デジタルカメラ１０が動画像の撮影を行ったとしても、デジタルカメラ１０が無線通信部３７を通じて他の電子機器と無線通信を行うために必要とされる電力が十分に確保される。したがって、デジタルカメラ１０における動画像を撮影する機能が有効とされつつ、二次電池３５への充電が中断された旨のメッセージがネットワーク回線を通じて使用者の携帯電話機に向けて確実に送信される。
【００４５】
また、先のステップＳ２５での判定結果が否定判定（Ｓ２５＝Ｎｏ）であった場合、即ち、充電が中断された時点における二次電池３５の充電率が９０％を上回る場合、制御部３４は、ステップＳ３１において、電源ボタン１３が押されたか否か、すなわち使用者が画像を撮影するためにデジタルカメラ１０を充電装置２０から意図的に外したか否かを判定する。そして、ステップＳ３１の判定結果が否定判定（Ｓ３１＝Ｎｏ）である場合、制御部３４は、その処理をステップＳ３２に移行する。そして、ステップＳ３２において、制御部３４は、再生ボタン１７が押されたか否か、すなわち使用者が撮影した画像を再生表示するためにデジタルカメラ１０を充電装置２０から意図的に外したか否かを判定する。
【００４６】
なお、二次電池３５の電池残量が９０％を上回る場合には、二次電池３５への充電はほぼ完了しており、デジタルカメラ１０の使用時に二次電池３５の電池残量が不足する状態にはなり難い。そのため、デジタルカメラ１０を充電装置２０から意図的に外した使用者に対し、二次電池３５への充電が未完のまま中断された旨を通知することは不要となる。したがって、本実施形態の場合、制御部３４は、ステップＳ３１の判定結果が肯定判定（Ｓ３１＝Ｙｅｓ）である場合、及び、ステップＳ３２の判定結果が肯定判定（Ｓ３２＝Ｙｅｓ）である場合には、二次電池３５への充電が未完のまま中断した旨をモニタ１４に表示させることなく、本制御処理ルーチンを終了する。
【００４７】
その一方で、ステップＳ３２の判定結果が否定判定（Ｓ３２＝Ｎｏ）であった場合には、制御部３４は、その処理をステップＳ３３に移行する。そして、ステップＳ３３において、制御部３４は、先のステップＳ２３及びステップＳ２９の場合と同様に、二次電池３５への充電が中断されてからの経過時間が、予め設定した閾値時間を越えたか否かを判定する。そして、ステップＳ３３の判定結果が否定判定（Ｓ３３＝Ｎｏ）である場合、制御部３４は、その処理をステップＳ３１に戻し、ステップＳ３１以降の処理を繰り返す。その一方で、ステップＳ３３の判定結果が肯定判定（Ｓ３３＝Ｙｅｓ）である場合、制御部３４は、その処理をステップＳ３４に移行する。
【００４８】
そして、ステップＳ３４において、制御部３４は、二次電池３５の充電率が９０％に達した後に二次電池３５への充電が中断したものの、二次電池３５への充電がほぼ完了した旨のメッセージを無線通信部３７からネットワーク回線を通じて使用者の携帯電話機に向けて送信させた後、本制御処理ルーチンを終了する。
【００４９】
次に、上記のように構成されたデジタルカメラ１０の作用について、特に、充電装置２０による充電が中断された際の作用に着目して以下説明する。
さて、デジタルカメラ１０に対して充電装置２０による非接触充電が行われている際には、充電装置２０に対して外部から振動が加わった場合に、デジタルカメラ１０が使用者の意図に反して充電装置２０から外れることがあり得る。この場合、特に、使用者がデジタルカメラ１０及び充電装置２０から遠く離れた場所にいる場合には、デジタルカメラ１０が充電装置２０から外れてデジタルカメラ１０への充電が中断した状態にある旨を認識できない虞があった。
【００５０】
この点、本実施形態では、デジタルカメラ１０が使用者の意図に反して充電装置２０から外れた場合には、デジタルカメラ１０への充電が中断されている旨のメッセージがネットワーク回線を通じて使用者が所持する携帯電話機に送信される。そのため、使用者がデジタルカメラ１０及び充電装置２０から遠く離れた場所にいる場合であっても、所持している携帯電話機がデジタルカメラ１０から受信したメッセージを通じ、二次電池３５への充電が使用者の意図に反して中断している旨が使用者に認識される。
【００５１】
上記実施形態によれば、以下に示す効果を得ることができる。
（１）受電コイル３６に供給された電力に基づく二次電池３５への充電が中断してから所定の閾値時間が経過するまでの間に使用者の操作に基づく入力信号が入力されない場合には、その使用者の意図に反して二次電池３５への充電が中断されたものと推測される。すなわち、その中断の要因は、使用者がデジタルカメラ１０の操作のためにデジタルカメラ１０を充電装置２０から外したことによるのでなく、デジタルカメラ１０が使用者の意図に反して充電装置２０から外れたことによるものである旨が判別される。そして、二次電池３５への充電の中断の要因が使用者の意図したものでない場合には、使用者が所持する携帯電話機に対してその旨が無線通信を通じて通知される。そのため、使用者は、充電対象となるデジタルカメラ１０から離れた位置にいる場合であっても、そのデジタルカメラ１０から携帯電話機に通知された情報に基づいて、使用者の意図に反して充電動作が中断されている旨を容易に把握することができる。
【００５２】
（２）使用者がデジタルカメラ１０の操作のためにデジタルカメラ１０を充電装置２０から外した場合のように、二次電池３５への充電の中断の要因が使用者の意図したものである場合には、使用者は、充電装置２０から外したデジタルカメラ１０のモニタ１４の表示内容に基づいて、デジタルカメラ１０への充電動作が中断された旨を容易に把握することができる。
【００５３】
（３）携帯電話機との間で無線通信を行うために必要とされる必要電力量が二次電池３５に蓄えられている場合には、二次電池３５から供給される電力に基づいて、使用者の意図に反して充電動作が中断されている旨を携帯電話機に確実に通知することができる。一方、携帯電話機との間で無線通信を行うために必要とされる必要電力量が二次電池３５に蓄えられていない場合には、携帯電話機への無線通信が制限されて行われないため、充電残量が相対的に少ない状態の二次電池３５から無線通信に伴って過大な電力が消費されることを抑制できる。
【００５４】
（４）携帯電話機との間で無線通信を行うために必要とされる必要電力量が二次電池３５に蓄えられていない場合には、携帯電話機への無線通信よりも消費電力が少ない動作であるモニタ１４への表示動作が行われる。そのため、充電残量が相対的に少ない状態の二次電池３５から無線通信に伴って過大な電力が消費されることを抑制しつつ、使用者に対してデジタルカメラ１０への充電動作が未完である旨をモニタ１４の表示により報知することができる。
【００５５】
（５）デジタルカメラ１０が有する機能のうち、二次電池３５の充電量よりも大きな電力が必要される機能が制御部３４の制御により制限されるため、二次電池３５から過大な電力が消費されることを抑制できる。
【００５６】
（第２の実施形態）
次に、本発明の第２の実施形態について図５を参照しながら説明する。
なお、この第２の実施形態は、充電装置２０の充電対象がデジタルカメラ１０ではなく携帯電話機４０である点が第１の実施形態とは異なるものの、充電装置２０による充電動作時に実行される制御処理ルーチンについてはほぼ同様である。したがって、以下では第１の実施形態と相違する部分を主に説明するものとし、第１の実施形態と同じ部分については重複説明を省略する。
【００５７】
さて、図５に示すように、本実施形態の携帯電話機４０は、当該携帯電話機４０に係る操作を行うための操作キー４１と、該操作キー４１の操作によって入力された情報を含む各種の情報を表示するための表示部としてのモニタ４２とを備えている。
【００５８】
そして、充電装置２０による充電動作時には、第１の実施形態のデジタルカメラ１０の制御部３４が実行する制御処理ルーチンにおけるステップＳ１５及びステップＳ１７、ステップＳ２０及びステップＳ２２、ステップＳ２６及びステップＳ２８、ステップＳ３１及びステップＳ３２に代えて、操作キー４１が押されたか否かを判定する。すなわち、携帯電話機４０への充電が中断してから予め設定した閾値時間が経過するまでの間に操作キー４１が押されたか否かに基づき、使用者が携帯電話機４０を充電装置２０から意図的に外したか否かを判定する。
【００５９】
そして、携帯電話機４０が使用者の意図に反して充電装置から外れた場合には、携帯電話機４０への充電が中断されている旨のメッセージがネットワーク回線を通じて使用者の所持する他の携帯電話機に送信される。そのため、使用者が充電対象となっている携帯電話機４０及び充電装置２０から遠く離れた場所にいる場合であっても、所持している他の携帯電話機が充電対象となっている携帯電話機４０から受信したメッセージを通じ、携帯電話機４０への充電が使用者の意図に反して中断している旨が使用者に認識される。
【００６０】
上記実施形態によれば、第１の実施形態の効果（１）〜（５）と同様の効果が得られる。
なお、上記各実施形態は、以下のような別の実施形態に変更してもよい。
【００６１】
・上記各実施形態において、閾値充電率は満充電となる１００％であってもよい。
・上記各実施形態において、デジタルカメラ１０又は携帯電話機４０が実行可能な複数の機能のうち二次電池３５の充電残量に応じて制限する機能として、任意の機能を選択することができる。例えば、第１の実施形態のデジタルカメラ１０において二次電池３５の充電残量が３０％未満である場合に、デジタルカメラ１０におけるフラッシュ撮影機能を制限する構成としてもよい。
【００６２】
・上記各実施形態において、充電装置２０の制御部２１が、デジタルカメラ１０又は携帯電話機４０に内蔵された二次電池３５の充電時における充電量を監視する構成としてもよい。
【００６３】
・上記各実施形態において、デジタルカメラ１０又は携帯電話機４０への充電が中断した際に、他の携帯電話機との間で無線通信を行うために必要とされる必要電力量が二次電池３５に充電されていない場合、即ち、二次電池３５の充電残量が３０％未満である場合に、デジタルカメラ１０のモニタ１４又は携帯電話機４０のモニタ４２に対して充電が中断した旨を表示させない構成としてもよい。
【００６４】
・上記各実施形態において、デジタルカメラ１０又は携帯電話機４０への充電の中断の要因が使用者の意図したものである場合に、デジタルカメラ１０又は携帯電話機４０が、音声を発したり、バイブレーション機能を作動させたり、或いは、光を点滅させたりすることによって、充電が未完である旨を使用者に知らせる構成としてもよい。
【００６５】
・上記各実施形態において、デジタルカメラ１０のモニタ１４又は携帯電話機４０のモニタ４２としてタッチパネル式のモニタを採用し、デジタルカメラ１０又は携帯電話機４０への充電が中断してから所定の閾値時間の間に使用者がモニタ１４，４２に触れたか否かに基づいて、デジタルカメラ１０又は携帯電話機４０への充電の中断の要因が使用者の意図したものであるか否かを判別する構成としてもよい。
【００６６】
・上記各実施形態において、制御部３４は、充電時における二次電池３５の充電量の変化を監視することにより、二次電池３５への充電動作が継続して行われているか否かを判定してもよい。この場合、制御部３４は、充電対象となるデジタルカメラ１０又は携帯電話機４０が充電装置２０から外れた場合だけでなく、例えば、充電対象となるデジタルカメラ１０又は携帯電話機４０における充電回路が故障して正常に機能しない場合にも、二次電池３５への充電動作が中断した旨を判別することができる。
【００６７】
・上記各実施形態において、充電装置２０によるデジタルカメラ１０又は携帯電話機４０への非接触充電の充電方式は、隣接したコイル間における電磁誘導を用いた電磁誘導方式に限定されず、電流を電磁波に変換しアンテナを介して送受信する電波方式や、電磁界の共鳴現象を利用した電磁界共鳴方式を採用してもよい。
【００６８】
・上記各実施形態において、充電対象となる電子機器はデジタルカメラ１０及び携帯電話機４０に限定されず、充電装置２０による非接触充電が可能な電子機器であれば任意の電子機器を採用することができる。なお、それらの電子機器に対して無線通信機能以外の機能を利用して充電が中断した旨を通知するようにしてもよい。
【００６９】
・上記各実施携帯において、充電が中断した旨が通知される対象となる電子機器は携帯電話機に限定されず、ネットワーク回線を通じた通信機能を有する電子機器であれば任意の電子機器を採用することができる。なお、ネットワーク回線を通じた通信機能を有する電子機器としては、例えば、音楽プレーヤー、携帯ゲーム機、テレビ、パソコン、プリンター、ファックス等が挙げられる。
【符号の説明】
【００７０】
１０…電子機器としてのデジタルカメラ、１４…表示部としてのモニタ、２４…給電部としての給電コイル、３４…判別部、通知部、判定部、監視部、及び制限部としての制御部、３５…蓄電部としての二次電池、３６…受電部としての受電コイル、４０…電子機器としての携帯電話機、４２…表示部及び報知部としてのモニタ。
【図１】
2014011893.tif 000003
【図２】
2014011893.tif 000004
【図３】
2014011893.tif 000005
【図４】
2014011893.tif 000006
【図５】
2014011893.tif 000007